(57)【要約】【課題】本発明は、抹消部であっても血圧を正確に測定することのできる血圧計を提供することを目的とする。【解決手段】上記目的を達成するために、本発明のカフは、生体に接する前記第一のカフと、前記第一のカフに接する前記第二のカフを重ねて生体を圧迫し、一方のカフで前記生体を圧迫する圧力を発生させ、他方のカフで前記生体を圧迫する圧力を測定し又は他方のカフを緩衝体として前記生体から伝搬する雑音を吸収して、前記第一のカフ又は前記第二のカフにより血圧を正確に測定できる構成を実現している。【選択図】図１
2007007300.tif 000002
【特許請求の範囲】
【請求項１】
生体の一部に接して前記生体を圧迫する第一のカフと、
前記第一のカフに接する第二のカフと、
少なくとも前記第一のカフが前記生体の一部に接する部分を除いて、前記第一のカフ及び前記第二のカフを収容する筐体と、
を備える血圧計。
【請求項２】
前記筐体は、前記第一のカフ及び前記第二のカフの、生体の一部を圧迫する方向以外の方向への動きを制限することを特徴とする請求項１に記載の血圧計。
【請求項３】
前記第一のカフの内部の圧力を測定する圧力センサをさらに備えることを特徴とする請求項１又は２に記載の血圧計。
【請求項４】
前記第二のカフの内部の圧力を測定する圧力センサをさらに備えることを特徴とする請求項１又は２に記載の血圧計。
【請求項５】
前記第一のカフの材料の伸縮性が前記第二のカフの材料の伸縮性よりも大きく、前記第一のカフは気体の給気と排気によって、膨張と収縮をすることを特徴とする請求項１から４に記載のいずれかの血圧計。
【請求項６】
前記第一のカフに気体の給気と排気をするポンプをさらに備えることを特徴とする請求項５に記載の血圧計
【請求項７】
前記第二のカフは空気が充填されて封止されていることを特徴とする請求項１から６に記載のいずれかの血圧計。
【請求項８】
前記第二のカフの材料の伸縮性が前記第一のカフの材料の伸縮性よりも大きく、前記第二のカフは気体の給気と排気によって、膨張と収縮をすることを特徴とする請求項１から４に記載のいずれかの血圧計。
【請求項９】
前記第二のカフに気体の給気と排気をするポンプをさらに備えることを特徴とする請求項８に記載の血圧計
【請求項１０】
前記第一のカフは空気が充填されて封止されていることを特徴とする請求項１、２、３、４、８又は９に記載のいずれかの血圧計。
【請求項１１】
前記第一のカフと前記第二のカフとの接触面が接着されていることを特徴とする請求項１から１０に記載のいずれかの血圧計。
【請求項１２】
前記第一のカフの前記生体の一部に接する部分に、前記生体の一部に光を照射する発光素子及び前記生体の一部から反射する光を受光する受光素子をさらに備えることを特徴とする請求項１から１１に記載の血圧計。
【請求項１３】
前記圧力センサは、生体の脈動による圧力変化も検出することを特徴とする請求項３又は４に記載の血圧計。
【発明の詳細な説明】
【技術分野】
【０００１】
本発明は、生体の一部を圧迫して血圧を測定する血圧計に関する。
【背景技術】
【０００２】
高齢化の進展により、成人の高血圧などの生活習慣病への対応が注目されている。特に高血圧症の場合、日常生活における継続的な血圧測定が重要であると認識され、各種の血圧計が開発されている。一般的に広く使用されている血圧計としては、カフにより上腕部の動脈を血流が停止するほどの圧力で圧迫する過程、あるいはその後開放して圧力が降下する過程における動脈の脈波と圧力の関係から最高血圧と最低血圧を測定している。上記の血圧計において、カフが生体を圧迫している圧力は、カフの内部の圧力により測定するのが一般的である。
【０００３】
上記の血圧測定において、空気袋により構成されるカフは膨張する際にカフ自体を膨張させるために内部の圧力の一部が使われ、あるいはカフ自体の摩擦、変形のために、カフの中の圧力とカフが生体を圧迫している圧力に差が生じ、血圧測定の誤算の原因となっている。
【０００４】
そこで、各種のカフ構造が考案され、例えばカフの膨張と圧縮を円滑にする構造が開示されている（例えば、特許文献１参照。）。この構造においては、カフの中に潤滑部材を設置し、カフの膨張、収縮の際の摩擦を軽減する構造が示されている。
【０００５】
一方、日常生活において、継続的に血圧を測定する場合、上腕部による測定よりも、指や耳などの生体の抹消部において測定する方が便利であり、各種の抹消部において測定する血圧測計が開発されている。
【０００６】
抹消部においてカフにより生体を圧迫して測定する血圧測定においては、従来の上腕部における血圧測定よりも狭い領域の抹消部を圧迫する必要があり、新たなカフの開発が必要とされている。
【特許文献１】特開２００４−２６１４９４号公報
【発明の開示】
【発明が解決しようとする課題】
【０００７】
前述の従来例においては、カフ内の摩擦を軽減できるが、カフを膨張させるための圧力は必要であり、カフ内の圧力と生体を圧迫する圧力の差を無視できる程に小さくできないという課題があった。さらに上記の従来例は、上腕部を圧迫する比較的大型の血圧計には適用できるが、抹消部において測定する血圧計には適していないという課題があった。
【０００８】
そこで、本発明は、抹消部であっても血圧を正確に測定することのできる血圧計を提供することを目的とする。
【課題を解決するための手段】
【０００９】
上記目的を達成するために、本発明のカフは、生体に接する前記第一のカフと、前記第一のカフに接する前記第二のカフを重ねて生体を圧迫し、一方のカフで前記生体を圧迫する圧力を発生させ、他方のカフで前記生体を圧迫する圧力を測定し又は他方のカフを緩衝体として前記生体から伝搬する雑音を吸収して、前記第一のカフ又は前記第二のカフにより生体を圧迫する圧力を正確に測定する構成を実現している。
【００１０】
具体的には、本発明の血圧計は、生体の一部に接して前記生体を圧迫する第一のカフと、前記第一のカフに接する第二のカフと、少なくとも前記第一のカフが前記生体の一部に接する部分を除いて、前記第一のカフ及び前記第二のカフを収容する筐体と、を備える血圧計である。
【００１１】
上記のように、本発明の血圧計は、前記筐体に収容される前記第一のカフと前記第二のカフを備え、次の二の構成とする。
【００１２】
第一の構成は、一方のカフの膨張により前記生体を圧迫する圧力を発生する機能を持たせ、他方のカフには前記生体を圧迫する圧力を伝達し、かつ前記生体を圧迫する圧力を測定する機能を持たせる構成である。第一の構成の血圧計は、膨張、収縮しない他方のカフの内部の圧力により前記生体を圧迫する圧力を測定するので、血圧を正確に測定することができる。
【００１３】
第二の構成は、一方のカフに膨張、収縮により前記生体を圧迫する圧力を発生する機能を持たせると同時にカフの内部の圧力で前記生体を圧迫する圧力を測定し、他方のカフは緩衝体としての機能を持たせる構成である。第二の構成の場合、他方のカフは緩衝体となり前記生体から伝搬する雑音を吸収するので、一方のカフにおいて血圧を正確に測定することができる。
【００１４】
本発明の血圧計の、前記筐体は、前記第一のカフ及び前記第二のカフの、生体の一部を圧迫する方向以外の方向への動きを制限してもよい。
【００１５】
上記のように、本発明の血圧計は、前記筐体により前記第一のカフ及び前記第二のカフを前記生体の方向だけに動かすことにより、前記生体の抹消部の比較的狭い領域においても的確に効率よく前記生体を圧迫することができる。
【００１６】
本発明の血圧計は、前記第一のカフの内部の圧力を測定する圧力センサをさらに備えてもよい。
【００１７】
上記のように、本発明の血圧計は、前記第二のカフが生体を圧迫する圧力を発生する場合は、前記生体に接する前記第一のカフの内部の圧力を測定する圧力センサにより、前記生体を圧迫する圧力を正確に測定することができる。一方、前記第一のカフが前記生体を圧迫する圧力を発生する場合は、前記第二のカフは緩衝体として前記生体から伝搬する雑音を吸収するので、前記第一のカフの内部の圧力を測定する圧力センサにより、前記生体を圧迫する圧力を正確に測定することができる。
【００１８】
本発明の血圧計は、前記第二のカフの内部の圧力を測定する圧力センサをさらに備えてもよい。
【００１９】
上記のように、本発明の血圧計は、前記第二のカフが生体を圧迫する圧力を発生する場合は、前記第一のカフが緩衝体として前記生体から伝搬する雑音を吸収するので、前記第二のカフの内部の圧力を測定する圧力センサにより、前記生体を圧迫する圧力を正確に測定することができる。一方、前記第一のカフが前記生体を圧迫する圧力を発生する場合は、前記第二のカフは緩衝体として前記生体から伝搬する雑音を吸収するので、前記第二のカフの内部の圧力を測定する圧力センサにより、前記生体を圧迫する圧力を正確に測定することができる。
【００２０】
本発明の血圧計は、前記第一のカフの材料の伸縮性が前記第二のカフの材料の伸縮性よりも大きく、前記第一のカフは気体の給気と排気によって、膨張と収縮をする構成としてもよい。
【００２１】
上記のように、本発明の血圧計は、前記第一のカフに前記生体を圧迫する圧力を発生する機能を持たせ、前記第二のカフに緩衝体としての機能を持たせて前記生体から伝搬する雑音を吸収させることにより、前記第一のカフ又は前記第二のカフにより前記生体を圧迫する圧力を正確に測定することができる。
【００２２】
本発明の血圧計は、前記第一のカフに気体の給気と排気をするポンプをさらに備えてもよい。
【００２３】
上記のように、本発明の血圧計は、前記第一のカフに前記ポンプをさらに備え、前記第一のカフに前記生体を圧迫する圧力を発生する機能を持たせ、前記第二のカフに緩衝体としての機能を持たせて前記生体から伝搬する雑音を吸収させることにより、前記第一のカフ又は前記第二のカフにより前記生体を圧迫する圧力を正確に測定することができる。
【００２４】
本発明の血圧計の、前記第二のカフは空気が充填されて封止されている構成としてもよい。
【００２５】
上記のように、本発明の血圧計の前記第二のカフは空気が充填されて封止されることにより、前記第二のカフは安定な緩衝体として前記生体から前記第一のカフに伝搬する雑音を吸収して、前記第一のカフ又は前記第二のカフにより前記生体を圧迫する圧力を正確に測定することができる。
【００２６】
本発明の血圧計は、前記第二のカフの材料の伸縮性が前記第一のカフの材料の伸縮性よりも大きく、前記第二のカフは気体の給気と排気によって、膨張と収縮をする構成としてもよい。
【００２７】
上記のように、本発明の血圧計は、前記第二のカフに前記生体を圧迫する圧力を発生する機能を持たせ、前記第一のカフに緩衝体としての機能を持たせて前記生体から伝搬する雑音を吸収させることにより、前記第一のカフ又は前記第二のカフにより前記生体を圧迫する圧力を正確に測定することができる。
【００２８】
本発明の血圧計の、前記第二のカフに気体の給気と排気をするポンプをさらに備える構成としてもよい。
【００２９】
上記のように、本発明の血圧計は、前記第二のカフに前記ポンプをさらに備え、前記第二のカフに前記生体を圧迫する圧力を発生する機能を持たせ、前記第一のカフに緩衝体としての機能を持たせて前記生体から伝搬する雑音を吸収させることにより、前記第一のカフ又は前記第二のカフにより前記生体を圧迫する圧力を正確に測定することができる。
【００３０】
本発明の血圧計の、前記第一のカフは空気が充填されて封止されている構成としてもよい。
【００３１】
上記のように、本発明の血圧計の前記第一のカフは空気が充填されて封止されることにより、前記第一のカフは安定な緩衝体として前記生体から前記第一のカフに伝搬する雑音を吸収して、前記第一のカフ又は前記第二のカフにより前記生体を圧迫する圧力を正確に測定することができる。
【００３２】
本発明の血圧計は、前記第一のカフと前記第二のカフとの接触面が接着されていてもよい。
【００３３】
上記のように、本発明の血圧計は、前記第一のカフと前記第二のカフとの接触面が接着されていることにより、前記第一のカフと前記第二のカフは前記筐体内を円滑に移動して前記生体を圧迫することができる。
【００３４】
本発明の血圧計は、前記第一のカフの前記生体の一部に接する部分に、前記生体の一部に光を照射する発光素子及び前記生体の一部から反射する光を受光する受光素子をさらに備えてもよい。
【００３５】
上記のように、本発明の血圧計は、前記発光素子により前記生体へ照射した光が前記生体の動脈又は前記動脈の内部の血球により反射される反射光を前記受光素子により受光し、前記反射光の変化から前記動脈の脈波を正確に検出することができる。
【００３６】
本発明の血圧計の、前記圧力センサは、生体の脈動による圧力変化も検出する構成としてもよい。
【００３７】
上記のように、本発明の血圧計の、前記圧力センサにより前記生体の脈動による圧力変化から脈波も検出することにより、前記生体の脈波を簡易に検出することができる。
【発明の効果】
【００３８】
本発明によれば、血圧を正確に測定する血圧計を提供することができる。
【発明を実施するための最良の形態】
【００３９】
添付の図面を参照して本発明の実施の形態を説明する。
以下に説明する実施の形態は本発明の実施の形態の例であり、本発明は、以下の実施の形態に制限されるものではない。
【００４０】
本発明の第１の実施の形態の血圧計は、生体の一部に接して前記生体を圧迫する第一のカフと、前記第一のカフに接する第二のカフと、少なくとも前記第一のカフが前記生体の一部に接する部分を除いて、前記第一のカフ及び前記第二のカフを収容する筐体と、を備える血圧計である。
【００４１】
図１及び図２に本実施の形態の血圧計の構成を示す。
図１及び図２において、本実施の形態の血圧計１０は第一のカフ１１、第二のカフ１２、筐体３１、圧力センサ２１、空気ポンプ２２、脈波センサ２３、脈波検出回路２４、血圧演算回路２５、空気パイプ４１、空気パイプ４２、信号線５１、信号線５２、信号線５３、信号線５４、フレーム３２、さらに脈波センサ２３としての発光素子６１及び受光素子６２、により構成される。ここで、血圧計１０の血圧測定の動作を制御する制御部及びスイッチ、電源、脈波検出回路２４及び血圧演算回路２５などを収容するケース等の通常の技術により実現できる部分は図示していない。
【００４２】
筐体３１は一方の端面が円形あるいは長方形であり、他方の端面が開放された筒状であり、金属あるいはプラスチックなどで作製されており、内部に第一のカフ１１及び第二のカフ１２を収容している。
【００４３】
第一のカフ１１及び第二のカフ１２の端面は筐体３１の端面と同様な円形あるいは長方形であり、第二のカフ１２の一方の端面は筐体３１の内部の底面に接して固定され、他方の端面は第一のカフ１１の一方の端面に接し、側面は筐体３１の内部の側面に接している。
【００４４】
第一のカフ１１の一方の端面は第二のカフ１２の他方の端面に接し、他方の端面は第二のカフ１２が膨張した場合には筐体３１の開放された端面から筐体３１の外部方向へ出ることができる構成であり、図１においては、第一のカフ１１の他方の端面は筐体３１の開放された端面から外部へ出て生体１に接し、かつ側面の一部は筐体３１の内部の側面に接している。ここで、第一のカフ１１と第二のカフ１２が接する面は相互に接着されていてもよい。また、第一のカフ１１は空気が充填されて封止されている構成としてもよい。
【００４５】
第一のカフ１１が生体１に接している面の内面には脈波センサ２３が設けられ、脈波センサ２３は信号線５１及び信号線５２により脈波検出回路２４に接続されているが、詳細は図２を参照して後述する。
【００４６】
第一のカフ１１は空気パイプ４１により圧力センサ２１に接続されている。また、圧力センサ２１の出力端子は信号線５３により血圧演算回路２５の圧力信号入力端子に接続されている。
【００４７】
第二のカフ１２は空気パイプ４２により空気ポンプ２２に接続されている。ここで、第二のカフ１２の材料の伸縮性は第一のカフ１１の材料の伸縮性よりも大きい。
【００４８】
筐体３１はフレーム３２の対向する面の内側の一方の面に設けられ、図１においては、第一のカフ１１の他方の端面と、フレーム３２の対向する面の内側の他方の面で、例えば耳介などの生体１の一部を挟むように保持している状態を示している。
【００４９】
脈波検出回路２４の出力端子は信号線５４により血圧演算回路２５の脈波信号入力端子に接続されている。
【００５０】
図２に脈波センサ２３の構成を示す。
図２において、脈波センサ２３は発光素子６１及び受光素子６２により構成され、発光素子６１は信号線５１により図１に示す脈波検出回路２４の駆動信号出力端子に接続され、受光素子６２は信号線５２により図１に示す脈波検出回路２４の脈波信号入力端子に接続されている。
【００５１】
次に、本実施の形態の血圧計１０を構成する各部の機能を説明する。
第二のカフ１２の材料の伸縮性は第一のカフ１１の材料の伸縮性よりも大きい。第二のカフ１２は空気パイプ４２を介して空気ポンプ２２からの気体の給気又は排気によって、膨張又は収縮し、上昇する圧力又は下降する圧力で第一のカフ１１を生体１の方向へ圧迫する。
【００５２】
第一のカフ１１は第二のカフ１２により上昇する圧力又は下降する圧力で圧迫され、生体１を圧迫する機能を有する。
【００５３】
筐体３１は第一のカフ１１及び第二のカフ１２を内部に収容して、第二のカフ１２が膨張及び収縮する時に、第一のカフ１１及び第二のカフ１２が生体１を圧迫する方向以外の方向へ移動するのを制限し、生体１の方向へ動くよう機能する。
【００５４】
空気ポンプ２２は空気パイプ４２を介して第二のカフ１２へ空気を供給し、あるいは第二のカフ１２の空気を排気する機能を有する。
【００５５】
圧力センサ２１は空気パイプ４１を介して第一のカフ１１の内部の圧力を測定することにより第一のカフ１１が生体１を圧迫する圧力としている。圧力センサ２１は測定した圧力を示す信号を信号線５３を介して血圧演算回路２５の圧力信号入力端子へ送信する機能を有する。
【００５６】
脈波検出回路２４は信号線５１を介して発光素子６１を駆動し発光させ、さらに信号線５２を介して受光素子６２が受光して電気信号に変換された信号を受信し、さらに後述する原理に従って脈波を検出し、検出した脈波を示す信号を信号線５４を介して血圧演算回路２５へ送信する機能を有する。
【００５７】
発光素子６１は信号線５１を介して脈波検出回路２４の駆動信号出力端子から駆動信号を受信し、発光して照射光６３を生体１へ照射する機能を有し、受光素子６２は照射光６３が生体１の内部の動脈２、あるいは動脈２の内部の血球により反射された反射光６４を受光し電気信号に変換して信号線５２を介して脈波検出回路２４の脈波信号入力端子へ送信する機能を有する。ここで、照射光６３は脈動する動脈２により反射され、あるいは動脈２の内部の脈流する血球により反射され、波長あるいは振幅が変化した反射光６４として受光素子６２に受光され、受光素子６２は受光した反射光６４に対応する電気信号を脈波検出回路２４へ送信し、脈波検出回路２４は受信した反射光６４に対応する電気信号から脈波を検出する。
【００５８】
血圧演算回路２５は圧力センサ２１から受信する第一のカフ１１の圧力を示す信号と、脈波検出回路２４から受信する生体１の脈波を示す信号から、従来の血圧計と同様に血圧を測定し、表示する機能を有する。
【００５９】
上記のように、本実施の形態の血圧計１０は、第二のカフ１２が膨張又は収縮して、上昇する圧力又は下降する圧力を発生して第一のカフ１１を介して生体１を圧迫し、一方、膨張又は収縮が小さいために内部の圧力と生体１を圧迫する圧力が一致する第一のカフ１１の圧力を測定することにより生体１を圧迫する圧力としているので、生体１を圧迫する圧力を正確に測定できる。さらに発光素子６１及び受光素子６２により生体１の脈波を正確に検出することができる。
【００６０】
以上説明したように、本発明の血圧計は血圧を正確に測定することができる。
【００６１】
次に、本発明の第２の実施の形態の血圧計について説明する。
本発明の第２の実施の形態の血圧計は、第１の実施の形態の血圧計１０において、前記発光素子及び前記受光素子による前記生体の脈波を検出する機能に代えて、前記圧力センサが前記生体の脈波を検出する機能を、さらに有する場合である。
【００６２】
図３に第２の実施の形態の血圧計の構成を示す。図３に示す本実施の形態の血圧計１０は、図１により説明した第１の実施の形態の血圧計１０の脈波センサ２３、信号線５１、信号線５２、脈波検出回路２４、信号線５４を取り除いて、かつ圧力センサ２１及び血圧演算回路２５の機能を変更した構成であり、上記以外は第１の実施の形態の血圧計１０と同様であるので、ここでは、本実施の形態の血圧計１０について、第１の実施の形態の血圧計１０と異なる部分のみを説明する。
【００６３】
圧力センサ２１は第一のカフ１１の圧力を測定し、測定した圧力を示す信号と、さらに第一のカフ１１の圧力に重畳している生体１の動脈２の脈波による圧力の脈動から生体１の脈波を検出し、検出した脈波を示す信号を、信号線５３を介して、血圧演算回路２５の圧力信号入力端子へ送信する機能を有する。
【００６４】
血圧演算回路２５は、圧力センサ２１から受信する第一のカフ１１の圧力を示す信号と、第一のカフ１１の脈波を示す信号から、第１の実施の形態の血圧計１０と同様に血圧を測定して表示する機能を有する。
【００６５】
上記のように、本実施の形態の血圧計１０は、第二のカフ１２が膨張又は収縮して、上昇する圧力又は下降する圧力を発生して第一のカフ１１を介して生体１を圧迫し、一方、膨張又は収縮が小さいために内部の圧力と生体１を圧迫する圧力が一致する第一のカフ１１の圧力を測定することにより生体１を圧迫する圧力としているので、生体１を圧迫する圧力を正確に測定できる。さらに、圧力センサ２１により生体１の脈波を簡易に検出することができる。
【００６６】
以上説明したように、本発明の血圧計は正確に血圧を測定することができる。
【００６７】
次に、本発明の第３の実施の形態の血圧計について説明する。
本発明の第３の実施の形態の血圧計は、生体の一部に接して前記生体を圧迫する第一のカフと、前記第一のカフに接する第二のカフと、少なくとも前記第一のカフが前記生体の一部に接する部分を除いて、前記第一のカフ及び前記第二のカフを収容する筐体と、を備える血圧計である。
【００６８】
図４に第３の実施の形態の血圧計の構成を示す。図４に示す第３の実施の形態の血圧計１０の構成は、図１により説明した第１の実施の形態の血圧計１０において、圧力センサ２１と第一のカフ１１を接続する空気パイプ４１に代えて、圧力センサ２１と第二のカフ１２を接続する空気パイプ４３を設けた構成であり、上記以外の構成は第１の実施の形態の血圧計１０の構成と同様であるので、ここでは、本実施の形態の血圧計１０について、第１の実施の形態の血圧計１０と異なる部分のみを説明する。
【００６９】
本実施の形態の血圧計１０の圧力センサ２１は空気パイプ４３を介して第二のカフ１２の圧力を測定し、測定した圧力を示す信号を信号線５３を介して血圧演算回路２５の圧力信号入力端子へ送信する機能を有する。ここで、血圧演算回路２５は圧力センサ２１から受信する第二のカフ１２の圧力を示す信号と、脈波検出回路２４から受信する脈波を示す信号から、第１の実施の形態の血圧計１０と同様に血圧を測定し表示する。
【００７０】
上記のように、本実施の形態の血圧計１０は、第二のカフ１２が膨張又は収縮して、上昇する圧力又は下降する圧力を発生して第一のカフ１１を介して生体１を圧迫し、かつ第二のカフ１２の圧力を測定することにより生体１を圧迫する圧力としている。第一のカフ１１は緩衝体として生体１から伝搬する雑音を吸収するので、生体１の圧迫圧力を正確に測定できる。さらに発光素子６１及び受光素子６２により生体１の脈波を正確に検出することができる。
【００７１】
以上説明したように、本発明の血圧計は血圧を正確に測定することができる。
【００７２】
次に本発明の第４の実施の形態の血圧計について説明する。
本発明の第４の実施の形態の血圧計は、第３の実施の形態の血圧計１０において、前記発光素子及び前記受光素子による前記生体の脈波を検出する機能に代えて、前記圧力センサが前記生体の脈波を検出する機能を、さらに有する場合である。
【００７３】
図５に第４の実施の形態の血圧計の構成を示す。図５に示す本実施の形態の血圧計１０は、図４により説明した第３の実施の形態の血圧計１０の脈波センサ２３、信号線５１、信号線５２、脈波検出回路２４、信号線５４を取り除いて、かつ圧力センサ２１及び血圧演算回路２５の機能を変更した構成であり、上記以外は第３の実施の形態の血圧計１０と同様であるので、ここでは、本実施の形態の血圧計１０について、第３の実施の形態の血圧計１０と異なる部分のみを説明する。
【００７４】
圧力センサ２１は第二のカフ１２の圧力を測定し、測定した圧力を示す信号と、さらに第二のカフ１２の圧力に重畳している生体１の動脈２の脈波による圧力の脈動から生体１の脈波を検出し、検出した脈波を示す信号を、信号線５３を介して、血圧演算回路２５の圧力信号入力端子へ送信する機能を有する。
【００７５】
血圧演算回路２５は、圧力センサ２１から受信する第二のカフ１２の圧力を示す信号と、第二のカフ１２の脈波を示す信号から、第３の実施の形態の血圧計１０と同様に血圧を測定して表示する機能を有する。
【００７６】
上記のように、本実施の形態の血圧計１０は、第二のカフ１２が膨張又は収縮して、上昇する圧力又は下降する圧力を発生して第一のカフ１１を介して生体１を圧迫し、かつ第二のカフ１２の圧力を測定することにより生体１を圧迫する圧力としている。第一のカフ１１は緩衝体として生体１から伝搬する雑音を吸収するので、生体１の圧迫圧力を正確に測定することができる。さらに圧力センサ２１により生体１の脈波を簡易に検出することができる。
【００７７】
以上説明したように、本発明の血圧計は、血圧を正確に測定することができる。
【００７８】
次に、本発明の第５の実施の形態の血圧計について説明する。
本発明の第５の実施の形態の血圧計は、生体の一部に接して前記生体を圧迫する第一のカフと、前記第一のカフに接する第二のカフと、少なくとも前記第一のカフが前記生体の一部に接する部分を除いて、前記第一のカフ及び前記第二のカフを収容する筐体と、を備える血圧計である。
【００７９】
図６に第５の実施の形態の血圧計の構成を示す。図６において、第５の実施の形態の血圧計１０の構成は、図１により説明した第１の実施の形態の血圧計１０において、空気ポンプ２２と第二のカフ１２を接続している空気パイプ４２に代えて、空気ポンプ２２と第一のカフ１１を接続する空気パイプ４４を設け、さらに第一のカフ１１と第二のカフ１２の材質を変更した構成であり、上記以外の構成は第１の実施の形態の血圧計１０の構成と同様であるので、ここでは、本実施の形態の血圧計１０について、第１の実施の形態の血圧計１０と異なる部分のみを説明する。
【００８０】
本実施の形態の血圧計１０の空気ポンプ２２は空気パイプ４４を介して第一のカフ１１に空気を供給し、あるいは第一のカフ１１の空気を排気する機能を有する。
【００８１】
第一のカフ１１の材料の伸縮性が第二のカフ１２の材料の伸縮性よりも大きく、第一のカフ１１は空気ポンプ２２からの気体の給気又は排気によって、膨張又は収縮して、上昇する圧力又は下降する圧力を発生して生体１及び第二のカフ１２を圧迫する機能を有する。
【００８２】
ここで、第一のカフ１１と第二のカフ１２が接する面は相互に接着されていてもよい。また、第二のカフ１２は空気が充填されて封止されている構成としてもよい。
【００８３】
上記のように、本実施の形態の血圧計１０は、第一のカフ１１が膨張又は収縮して、上昇する圧力又は下降する圧力を発生して生体１及び第二のカフ１２を圧迫し、その反作用として第二のカフ１２が第一のカフ１１を圧迫し、さらに第一のカフ１１が生体１を圧迫する。さらに第一のカフ１１の圧力を測定することにより生体１を圧迫する圧力としている。一方、膨張又は収縮が小さい第二のカフ１２は緩衝体として、生体１から第一のカフ１１に伝搬する雑音を吸収するので、第一のカフ１１の圧力により生体１を圧迫する圧力を正確に把握することができる。さらに本実施の形態の血圧計１０は、発光素子６１及び受光素子６２により生体１の脈波を正確に検出することができる。
【００８４】
以上説明したように、本発明の血圧計は血圧を正確に測定することができる。
【００８５】
次に、本発明の６の実施の形態の血圧計について説明する。
本発明の第６の実施の形態の血圧計は、第５の実施の形態の血圧計１０において、前記発光素子及び前記受光素子による前記生体の脈波を検出する機能に代えて、前記圧力センサが前記生体の脈波を検出する機能を、さらに有する場合である。
【００８６】
図７に本実施の形態の血圧計の構成を示す。図７に示す本実施の形態の血圧計１０は、図６により説明した第５の実施の形態の血圧計１０の脈波センサ２３、信号線５１、信号線５２、脈波検出回路２４、信号線５４を取り除いて、かつ圧力センサ２１及び血圧演算回路２５の機能を変更した構成であり、上記以外は第５の実施の形態の血圧計１０と同様であるので、ここでは、本実施の形態の血圧計１０について、第５の実施の形態の血圧計１０と異なる部分のみを説明する。
【００８７】
圧力センサ２１は第一のカフ１１の圧力を測定し、測定した圧力を示す信号と、さらに第一のカフ１１の圧力に重畳している生体１の動脈２の脈波による圧力の脈動から生体１の脈波を検出する。さらに、検出した脈波を示す信号を、信号線５３を介して、血圧演算回路２５の圧力信号入力端子へ送信する機能を有する。
【００８８】
血圧演算回路２５は、圧力センサ２１から受信する第一のカフ１１の圧力を示す信号と、第一のカフ１１の脈波を示す信号から、第５の実施の形態の血圧計１０と同様に血圧を測定して表示する機能を有する。
【００８９】
上記のように、本実施の形態の血圧計１０は、第一のカフ１１が膨張又は収縮して、上昇する圧力又は下降する圧力を発生して生体１及び第二のカフ１２を圧迫し、その反作用として第二のカフ１２が第一のカフ１１を圧迫し、さらに第一のカフ１１が生体１を圧迫する。さらに第一のカフ１１の圧力を測定することにより生体１を圧迫する圧力としている。一方、膨張又は収縮が小さい第二のカフ１２は緩衝体として、生体１から第一のカフ１１に伝搬する雑音を吸収するので、第一のカフ１１の圧力を測定することにより生体１を圧迫する圧力を正確に把握することができる。
【００９０】
さらに本実施の形態の血圧計１０は、圧力センサ２１により生体１の脈波を簡易に検出することができる。
【００９１】
以上説明したように、本発明の血圧計は血圧を正確に測定することができる。
【００９２】
次に、本発明の第７の実施の形態の血圧計について説明する。
本発明の第７の実施の形態の血圧計は、生体の一部に接して前記生体を圧迫する第一のカフと、前記第一のカフに接する第二のカフと、少なくとも前記第一のカフが前記生体の一部に接する部分を除いて、前記第一のカフ及び前記第二のカフを収容する筐体と、を備える血圧計である。
【００９３】
図８に第７の実施の形態の血圧計の構成を示す。図８に示す第７の実施の形態の血圧計１０の構成は、図６により説明した第５の実施の形態の血圧計１０において、圧力センサ２１と第一のカフ１１を接続する空気パイプ４１に代えて、圧力センサ２１と第二のカフ１２を接続する空気パイプ４３を設けた構成であり、上記以外の構成は第５の実施の形態の血圧計１０の構成と同様であるので、ここでは、本実施の形態の血圧計１０について、第５の実施の形態の血圧計１０からの変更部分のみを説明する。
【００９４】
本実施の形態の血圧計１０の圧力センサ２１は空気パイプ４３を介して第二のカフ１２の圧力を測定し、測定した圧力を示す信号を信号線５３を介して血圧演算回路２５の圧力信号入力端子へ送信する機能を有する。ここで、血圧演算回路２５は圧力センサ２１から受信する第二のカフ１２の圧力を示す信号と、脈波検出回路２４から受信する脈波を示す信号から、第５の実施の形態の血圧計１０の構成と同様に血圧を測定し表示する。
【００９５】
上記のように、本実施の形態の血圧計１０は、第一のカフ１１が膨張又は収縮して、上昇する圧力又は下降する圧力を発生して生体１及び第二のカフ１２を圧迫し、その反作用として第二のカフ１２が第一のカフ１１を圧迫し、さらに第一のカフ１１が生体１を圧迫する。一方、膨張又は収縮が小さいために内部の圧力と生体１を圧迫する圧力が一致する第二のカフ１２の圧力を測定することにより生体１を圧迫する圧力としているので、生体１を圧迫する圧力を正確に把握することができる。さらに発光素子６１及び受光素子６２により生体１の脈波を正確に検出することができる。
【００９６】
以上説明したように、本発明の血圧計は血圧を正確に測定することができる。
【００９７】
次に、本発明の第８の実施の形態の血圧計について説明する。
本発明の第８の実施の形態の血圧計は、第７の実施の形態の血圧計１０において、前記発光素子及び前記受光素子による前記生体の脈波を検出する機能に代えて、前記圧力センサが前記生体の脈波を検出する機能を、さらに有する場合である。
【００９８】
図９に本実施の形態の血圧計の構成を示す。図９に示す本実施の形態の血圧計１０は、図８により説明した第７の実施の形態の血圧計１０の脈波センサ２３、信号線５１、信号線５２、脈波検出回路２４、信号線５４を取り除いて、かつ圧力センサ２１及び血圧演算回路２５の機能を変更した構成であり、上記以外は第７の実施の形態の血圧計１０と同様であるので、ここでは、本実施の形態の血圧計１０について、第７の実施の形態の血圧計１０と異なる部分のみを説明する。
【００９９】
圧力センサ２１は第二のカフ１２の圧力を測定し、測定した圧力を示す信号と、さらに第二のカフ１２の圧力に重畳している生体１の動脈２の脈波による圧力の脈動から生体１の脈波を検出し、検出した脈波を示す信号を、信号線５３を介して、血圧演算回路２５の圧力信号入力端子へ送信する機能を有する。
【０１００】
血圧演算回路２５は、圧力センサ２１から受信する第二のカフ１２の圧力を示す信号と、第二のカフ１２の脈波を示す信号から、第７の実施の形態の血圧計１０と同様に血圧を測定して表示する機能を有する。
【０１０１】
上記のように、本実施の形態の血圧計１０は、第一のカフ１１が膨張又は収縮して、上昇する圧力又は下降する圧力を発生して生体１及び第二のカフ１２を圧迫し、その反作用として第二のカフ１２が第一のカフ１１を圧迫し、さらに第一のカフ１１が生体１を圧迫する。一方、膨張又は収縮が小さいために内部の圧力と生体１を圧迫する圧力が一致する第二のカフ１２の圧力を測定することにより生体１を圧迫する圧力としているので、生体１を圧迫する圧力を正確に把握することができる。さらに圧力センサ２１により生体１の脈波を簡易に検出することができる。
【０１０２】
以上説明したように、本発明の血圧計は血圧を正確に測定することができる。
【産業上の利用可能性】
【０１０３】
本発明は、生体の抹消部、特に、耳介で測定する血圧計として利用することができる。
【図面の簡単な説明】
【０１０４】
【図１】本発明の第１の実施の形態の血圧計の構成を示す図である。
【図２】発光素子及び受光素子による脈波センサの構成を示す図である。
【図３】本発明の第２の実施の形態の血圧計の構成を示す図である。
【図４】本発明の第３の実施の形態の血圧計の構成を示す図である。
【図５】本発明の第４の実施の形態の血圧計の構成を示す図である。
【図６】本発明の第５の実施の形態の血圧計の構成を示す図である。
【図７】本発明の第６の実施の形態の血圧計の構成を示す図である。
【図８】本発明の第７の実施の形態の血圧計の構成を示す図である。
【図９】本発明の第８の実施の形態の血圧計の構成を示す図である。
【符号の説明】
【０１０５】
１  生体
２  動脈
１０  血圧計
１１  第一のカフ
１２  第二のカフ
２１  圧力センサ
２２  空気ポンプ
２３  脈波センサ
２４  脈波検出回路
２５  血圧演算回路
３１  筐体
３２  フレーム
４１  空気パイプ
４２  空気パイプ
４３  空気パイプ
４４  空気パイプ
５１  信号線
５２  信号線
５３  信号線
５４  信号線
６１  発光素子
６２  受光素子
６３  照射光
６４  反射光
【図１】
2007007300.tif 000003
【図２】
2007007300.tif 000004
【図３】
2007007300.tif 000005
【図４】
2007007300.tif 000006
【図５】
2007007300.tif 000007
【図６】
2007007300.tif 000008
【図７】
2007007300.tif 000009
【図８】
2007007300.tif 000010
【図９】
2007007300.tif 000011